(57)【特許請求の範囲】
【請求項１】
１対の被着面間に介装されて両被着面を接着するテープ糊であって、
細長い帯状の剥離テープと、
前記剥離テープに文字や記号や絵柄を印刷してなる印刷層と、
前記印刷層を覆うように剥離テープに積層状に設けた粘着層と、
を備え、
前記印刷層の文字や記号や絵柄を網点で構成し、
前記印刷層及び粘着層を一方の被着面に押し当てて、前記印刷層及び粘着層を剥離テープから一方の被着面に転写し、その後、一方の被着面に他方の被着面を重ね合わせて、前記印刷層及び粘着層を介装させて両被着面を接着可能となした、
ことを特徴とするテープ糊。
【請求項２】
前記剥離テープにグラビア印刷を施して印刷層を形成した請求項１記載のテープ糊。
【請求項３】
請求項１又は２記載のテープ糊を、粘着層側を外周側にして巻装した供給リールと、供給リールから繰り出したテープ糊を被着面に押し当てて、印刷層及び粘着層からなるテープ糊本体を被着面に転写する押圧部材と、使用済みの剥離テープを巻き取る巻取リールとを備えたテープ糊転写具。
【発明の詳細な説明】
【技術分野】
【０００１】
本発明は、封筒等の紙製品の糊付けに好適に利用可能なテープ糊及びテープ糊転写具に関する。
【背景技術】
【０００２】
従来、封筒等の紙製品は、液体糊や固形糊などにより糊代部分を糊付けして、封止したり組み立てたりしていたが、液体糊や固形糊は、不要な部分に糊が付着したりするなど、取扱性があまりよくないことから、最近では剥離テープに粘着層を積層状に設けたテープ糊を備え、このテープ糊を供給リールから繰り出して、被着面に転写可能となした転写具が提案され、実用化されている（例えば、特許文献１参照。）。
【０００３】
また、前記テープ糊における粘着層を、絵模様や文字や図形などを模るように印刷により形成し、絵模様や文字や図形などを模る粘着層が被着面に転写されるように構成し、粘着層の意匠性を高めた転写具も提案されている（例えば、特許文献２参照。）。
【０００４】
【特許文献１】特開２００６−２０６６５７号公報
【特許文献２】特開２００６−３３５５１７号公報
【発明の開示】
【発明が解決しようとする課題】
【０００５】
ところで、前記特許文献２記載の転写具では、被着面に転写する粘着層を絵模様や文字や図形などに模るので、転写した粘着層の意匠性を向上できるが、絵模様や文字や図形によっては、粘着層が配置されない空間部分が大きくなって、十分な粘着性能を確保できないことがあった。また、このような空間部分が被着面の端部に配置されると、被着面が端部から剥がれ易くなるという問題もある。
【０００６】
本発明の目的は、粘着性能を十分に確保しつつ、剥離するテープ糊本体に文字や記号や絵柄などを表示可能となして、テープ糊本体の意匠性を向上できるとともに、テープ糊本体を広告面などとして有効利用可能となしたテープ糊及びテープ糊転写具を提供することである。
【課題を解決するための手段】
【０００７】
本出願人は、テープ糊の粘着層に文字や記号や絵柄などを印刷することで、テープ糊を販売促進用の商品として利用できるとの発想から、剥離テープの上に文字や記号や絵柄などの印刷を施して印刷層を形成し、その上側に粘着層を形成してなるテープ糊を試作した。しかし、このテープ糊では、粘着層を被着面に転写した状態で、印刷層が表面側に配置され、印刷層において粘着性が得られないことから、十分な粘着性能を確保できないという問題があった。そこで文字や記号や絵柄などを印刷しつつ、十分な粘着性能が得られるようなテープ糊を実現するため、更に鋭意検討した結果、剥離シートに文字や記号や絵柄などを印刷する場合であっても、該文字や記号や絵柄を網点で構成すると、網点間の隙間に配置される粘着層により、該文字や記号や絵柄の印刷部分においても十分な粘着性能が得られることを見出して、本発明を完成するに至った。
【０００８】
本発明に係るテープ糊は、１対の被着面間に介装されて両被着面を接着するテープ糊であって、細長い帯状の剥離テープと、前記剥離テープに文字や記号や絵柄を印刷してなる印刷層と、前記印刷層を覆うように剥離テープに積層状に設けた粘着層とを備え、前記印刷層の文字や記号や絵柄を網点で構成し、前記印刷層及び粘着層を一方の被着面に押し当てて、前記印刷層及び粘着層を剥離テープから一方の被着面に転写し、その後、一方の被着面に他方の被着面を重ね合わせて、前記印刷層及び粘着層を介装させて両被着面を接着可能となしたものである。
【０００９】
このテープ糊では、例えば封筒等の紙製品の被着面に粘着層を圧接させて、粘着層及び印刷層からなるテープ糊本体を剥離テープから順次剥離しながら被着面に貼り付け、この被着面に貼り付けたテープ糊本体に他物を圧接させて、被着面に他物を貼り付けることになるが、テープ糊本体を被着面に貼り付けた状態で、表面側に配置される印刷層が外部に露出して、文字や記号や絵柄を目視できる。このため、テープ糊の印刷層に、販売促進する商品の商品名やキャッチフレーズ、該商品の製造会社名などの広告文を印刷することにより、テープ糊を販売促進用の商品として利用できる。また、人気キャラクターなどを印刷することで、被着面に貼り付けたテープ糊本体の意匠性を向上することもできる。
【００１０】
しかも、印刷層の文字や記号や絵柄が網点で構成されるとともに、印刷層を覆うように粘着層が積層状に設けられ、粘着層は、隣接する文字や記号や絵柄などの印刷部分の隙間に設けられるとともに、文字や記号や絵柄の印刷部分における網点間の隙間に設けられるので、被着面に貼り付けたテープ糊本体は、印刷層を設けていない部分はいうまでもなく、印刷層を設けている部分においても、十分な粘着性能を確保することができる。
【００１１】
ここで、前記剥離テープにグラビア印刷を施して印刷層を形成することが好ましい実施の形態である。このように構成すると、長尺な剥離テープに対して連続的に印刷を行って、効率的に印刷層を形成できるので好ましい。
【００１２】
本発明に係るテープ糊転写具は、前述したテープ糊を、粘着層側を外周側にして巻装した供給リールと、供給リールから繰り出したテープ糊を被着面に押し当てて、印刷層及び粘着層からなるテープ糊本体を被着面に転写する押圧部材と、使用済みの剥離テープを巻き取る巻取リールとを備えたものである。
【００１３】
このテープ糊転写具では、前述したテープ糊を用いているので、粘着性能を十分に確保しつつ、剥離させた粘着層及び印刷層からなるテープ糊本体に文字や記号や絵柄などを表示可能となして、テープ糊本体の意匠性を向上できるとともに、テープ糊本体を広告面などとして利用することが可能となる。
【発明の効果】
【００１４】
本発明に係るテープ糊及びテープ糊転写具によれば、印刷層の文字や記号や絵柄を網点で構成することで、印刷層を設けた部分においても、網点間に配置される粘着層により十分な粘着性能を確保することができる。このため、粘着性能を十分に確保しつつ、テープ糊本体に文字や記号や絵柄などを表示可能となして、テープ糊本体の意匠性を向上できるとともに、テープ糊本体を広告面などとして利用することが可能となる。
【発明を実施するための最良の形態】
【００１５】
以下、本発明の実施例について図面を参照しながら説明する。
図１に示すように、テープ糊転写具１は、細長い帯状のテープ糊１０と、テープ糊１０を巻装した供給リール２と、供給リール２から繰り出したテープ糊１０を被着対象物Ｐの被着面Ｆに押し当てて、テープ糊１０の印刷層１１及び粘着層１２からなるテープ糊本体１３を被着面Ｆに転写する押圧ローラ３と、使用済みの剥離テープ１４を巻き取る巻取リール４と、供給リール２の回転に連動して巻取リール４を回転させる１対の歯車５，６からなる連動手段７と、供給リール２の逆回転を規制して、巻取リール４から剥離テープ１４が繰り出されることを防止する図示外の逆転防止機構と、供給リール２と歯車５間に設けられ、供給リール２と歯車５間に設定値以上の回転トルクが作用したときに供給リール２を回転させ、供給リール２からのテープ糊１０の繰り出し量と巻取リール４による剥離テープ１４の巻取り量とが常に同じになるように調整する図示外の回転調整手段と、これらの部材や手段を収容するケーシング８とを備えている。
【００１６】
そして、図１に示すように、押圧ローラ３でテープ糊１０を紙製品などの被着対象物Ｐの被着面Ｆに押し当てながら、テープ糊転写具１を矢印Ａで示す方向へ移動させることで、供給リール２が矢印Ｂの方向に回転するとともに、巻取リール４が矢印Ｃの方向に回転し、新しいテープ糊１０が供給リール２から順次繰り出されるとともに、使用済みの剥離テープ１４が過不足なく巻取リール４に巻き取られ、押圧ローラ３の下側に新しいテープ糊１０が順次供給されて、テープ糊本体１３が被着面Ｆに順次貼り付けられることになる。但し、テープ糊転写具１としては、図１に示す以外の構成ものを採用することも可能である。また、テープ糊転写具１におけるテープ糊１０以外は周知の構成のものなので、その詳細な説明を省略する。
【００１７】
図２〜図４に示すように、テープ糊１０は、細長い帯状の剥離テープ１４と、剥離テープ１４に文字や記号や絵柄などを印刷してなる印刷層１１と、印刷層１１を覆うように剥離テープ１４に積層状に設けた粘着層１２とを備え、印刷層１１の文字や記号や絵柄を網点１１ａで構成したものである。
【００１８】
剥離テープ１４は、印刷層１１及び粘着層１２が剥離可能な素材であれば任意の素材で構成することができ、例えばポリエチレンテレフタレート、ポリプロピレン、ポリカーボネート、ポリスチレン、ポリアミド、ポリアミドイミド、ポリエチレン、ポリ塩化ビニル等の合成樹脂製フィルムや、グラシン紙や、人造樹脂フィルム、洋紙和紙等のフィルム状物、あるいはこれらの複合フィルム状物などを好適に採用できる。また、剥離効果を有さない基材テープの表面にシリコン樹脂やフッ素樹脂等からなる剥離層を設けたものを採用することもできる。剥離テープ１４の厚さや幅は任意に設定することが可能で、例えば厚さは１０μｍ〜５０μｍに設定でき、幅は１５ｍｍ〜５ｍｍに設定することができる。
【００１９】
印刷層１１は、剥離テープ１４の一方の表面に対して、グラビア印刷により文字や記号や絵柄を印刷して形成されている。グラビア印刷するときには、図４に示すように、文字や記号や絵柄が網点１１ａで構成されるように単色或いは多色で印刷し、隣接する網点１１ａ間に隙間ができるように印刷することになる。このように、隣接する網点１１ａ間に隙間ができるように、文字や記号や絵柄を網点１１ａで印刷すると、網点１１ａ間の隙間に配置された粘着層１２により、印刷部分においても十分な粘着性能が得られることになる。また、印刷は、表裏を逆にした鏡面対象に印刷され、テープ糊本体１３を被着面Ｆに付着させた状態で、文字や記号や絵柄が正常な姿勢になるように構成されている。但し、文字や記号や絵柄を網点１１ａで構成可能な印刷方法であれば、グラビア印刷以外の印刷方法で印刷層１１を形成することができ、例えばスクリーン印刷やオフセット印刷などの印刷方法により印刷層１１を形成することも可能である。
【００２０】
印刷する文字や記号や絵柄として、図３では「ＡＢＣＤ」と繰返して印刷したが、文字や記号や絵柄を単独或いは任意に組み合わせて印刷することができる。例えばテープ糊１０の印刷層１１に、販売促進する商品の商品名やキャッチフレーズ、該商品の製造会社名などの広告文を繰返して印刷することにより、テープ糊１０を販売促進用の商品として利用できる。また、人気キャラクターなどを印刷することで、被着面Ｆに貼り付けたテープ糊本体１３の意匠性を向上することもできる。繰返して印刷する文字や記号や絵柄の長さは任意に設定可能であるが、長すぎると途中で文字列が切れてしまい、意匠性が低下したり宣伝効果が低下するので、５ｃｍ以下、好ましくは３ｃｍ以下に設定することが望ましい。
【００２１】
粘着層１２は、印刷層１１を覆うように剥離テープ１４の一方の表面の全面に積層状に設けられている。粘着層１２を構成する素材としては、アクリル系、ゴム系、シリコン系、ロジン系、ウレタン系等からなる粘着剤を採用することができる。この粘着層１２は、印刷層１１における隣接する網点１１ａ間にも配置され、図５に示すように、テープ糊本体１３を被着面Ｆに粘着させた状態で、印刷層１１の外面側に露出するように構成され、これにより印刷部分における粘着性能を十分に確保できるように構成されている。粘着層１２の厚さは任意に設定できるが、十分な粘着性能を確保でき、しかも製作コストが高くならないように、例えば１０μｍ〜５０μｍに設定することができる。
【００２２】
前記のようなテープ糊１０を製造するには、先ず剥離テープ１４の素材としての幅広で長尺な素材テープ（図示略）を用い、この素材テープにグラビア印刷により、広告文や商品名や会社名などを長さ方向に沿って幅方向に複数列連続的に印刷する。次に、印刷層１１を覆うように素材テープの一方の表面の全面に粘着層１２を塗着してから、素材テープをテープ糊１０の幅で長手方向に裁断し、裁断した複数のテープ糊１０を、粘着層１２側を外周側にして供給リール２に巻き取って製造することになる。
【００２３】
また、テープ糊転写具１を使用するときには、先ず図１に示すように、押圧ローラ３でテープ糊１０を紙面等の被着面Ｆに押し当てながら、テープ糊転写具１を図１に矢印Ａで示す方向へ移動させ、図５に示すように、印刷層１１と粘着層１２とからなるテープ糊本体１３を被着対象物Ｐの被着面Ｆに貼り付けことになる。こうして、テープ糊本体１３を被着面Ｆに貼り付けた状態で、これを他物に貼り合わせて、被着面Ｆに他物を貼り付けることになる。例えば、封筒の開口縁の糊代にテープ糊本体１３を貼り付けて、糊代を封筒本体に重ね合わせることで、封筒を封止することができる。尚、被着対象物Ｐとしては、テープ糊本体１３が粘着可能な素材からなるものであればよく、封筒や紙箱等の紙製品、合成樹脂フィルムや合成樹脂シートなどの合成樹脂製品、木質製品や金属製品など任意の素材からなるものを採用できる。
【００２４】
このテープ糊１０では、図５に示すように、被着面Ｆにテープ糊本体１３を貼り付けた状態で、表面側に配置される印刷層１１が外部に露出して、図３に示すように、文字や記号や絵柄を目視できるので、テープ糊１０の印刷層１１に、販売促進する商品の商品名やキャッチフレーズ、該商品の製造会社名などの広告文を印刷することにより、テープ糊１０を販売促進用の商品として利用できる。また、人気キャラクターなどを印刷することで、被着面Ｆに貼り付けたテープ糊本体１３の意匠性を向上することもできる。しかも、印刷層１１の文字や記号や絵柄が網点１１ａで構成されるとともに、印刷層１１を覆うように粘着層１２が積層状に設けられ、粘着層１２は、隣接する文字や記号や絵柄などの印刷部分の隙間に設けられるとともに、文字や記号や絵柄の印刷部分における網点１１ａ間の隙間に設けられるので、被着面Ｆに貼り付けたテープ糊本体１３は、印刷層１１を設けていない部分はいうまでもなく、印刷層１１を設けている部分においても、十分な粘着性能を確保することができる。
【図面の簡単な説明】
【００２５】
【図１】テープ糊転写具の説明図
【図２】テープ糊の断面図
【図３】被着面に貼り付けたテープ糊本体の平面図
【図４】図３における領域Ａの拡大図
【図５】被着面に貼り付けたテープ糊本体の縦断面図
【符号の説明】
【００２６】
１      テープ糊転写具      ２      供給リール
３      押圧ローラ          ４      巻取リール
５      歯車                ６      歯車
７      連動手段            ８      ケーシング
１０    テープ糊            １１    印刷層
１１ａ  網点                １２    粘着層
１３    テープ糊本体        １４    剥離テープ
Ｆ      被着面              Ｐ      被着対象物
【図１】
0004849031.tif 000002
【図２】
0004849031.tif 000003
【図３】
0004849031.tif 000004
【図４】
0004849031.tif 000005
【図５】
0004849031.tif 000006